(57)【要約】【課題】本発明は掛け式ＵＳＢ卓上扇風機を開示した。【解決手段】本発明は掛け式ＵＳＢ卓上扇風機を開示し、外殻を含み、前記外殻の中にはモーターが設置され、前記モーターには左端が外部空間の中に位置した回転軸が伝動できるように連結され、前記回転軸の左端には羽根が設置され、前記外殻の左側端面にはＵＳＢケーブルが設置され、前記外殻の中には外部空間に連通した移動チャンバが設置され、前記移動チャンバの中には移動機構が設置され、前記移動チャンバの前後端壁の中には動力を伝達する伝動機構がいずれも設置され、本発明が作動する時、卓上に置くスペースが足りない時、安定に壁面に掛けられ、それにより卓上のスペースを節約する同時にＵＳＢ卓上扇風機を使え、且つ体積が小さく、あまりスペースを取らなく、卓上に置く時伸び出した部品によって支持し、装置が置く時の安定性を保証できる。【選択図】図１
2020172919.tif 000002
【特許請求の範囲】
【請求項１】
掛け式ＵＳＢ卓上扇風機であって、外殻を含み、前記外殻の中にはモーターが設置され、前記モーターには左端が外部空間の中に位置した回転軸が伝動できるように連結され、前記回転軸の左端には羽根が設置され、前記外殻の左側端面にはＵＳＢケーブルが設置され、前記外殻の中には外部空間に連通した移動チャンバが設置され、前記移動チャンバの中には移動機構が設置され、前記移動チャンバの前後端壁の中には動力を伝達する伝動機構がいずれも設置され、前記移動機構は前記移動チャンバの前後端壁に位置した二つの移動溝を含み、前記移動溝の中には移動ブロックが設置され、前記移動チャンバの中には前後両端が其々に二つの前記移動ブロックを貫通した移動軸が設置され、前記移動軸の前後両端には移動歯車がいずれも設置され、前記移動軸の中心には移動板が固定的に設置され、前記移動板の右端面にはプルタブが設置され、前記移動チャンバの左端壁の中には収納溝が設置され、前記収納溝の中には右端が前記移動チャンバの中に位置したＬ型棒が設置され、前記収納溝の左端壁には右端と前記Ｌ型棒とが連結された引き動かし撥条が設置され、前記収納溝の下側には外部空間と前記移動移動チャンバとを連通したスライドチャンバが設置され、前記スライドチャンバの中には前記伝動機構に運動連動できる支持板が設置され、前記支持板の中には下に開口した収納チャンバが設置され、前記収納チャンバの中には支持ブロックが設置され、前記収納チャンバの上端壁には一端と前記支持ブロックとが連結された圧縮撥条が設置されていることを特徴とする掛け式ＵＳＢ卓上扇風機。
【請求項２】
前記移動機構には右に開口し且つ前記移動チャンバの上側に位置したスライド溝が含まれ、前記スライド溝の中にはスライド板が設置され、前記スライド溝の左端壁には前記スライド板と連結された復帰撥条が設置され、前記スライド溝の上端壁には下に開口した位置制限溝が設置され、前記スライド板の左端には上に開口した位置制限チャンバが設置され、前記位置制限チャンバの中には位置制限ブロックが設置され、前記位置制限チャンバの下端壁には前記位置制限ブロックと連結された位置制限撥条が設置され、前記スライド板の中には昇降チャンバが設置され、前記昇降チャンバの中には昇降板が設置され、前記昇降板の上端面には上端が前記スライド溝の中に位置した押しブロックが設置され、前記スライド板の下端面には下端が前記移動チャンバの中に位置したスライダが設置され、前記スライダの中には上げチャンバが設置され、前記上げチャンバの右端壁には外部空間に連通した台形口が設置され、前記上げチャンバの中には上げ板が設置され、前記上げ板の上端面には上端と前記上げチャンバの上端壁とが連結された二つの上げ撥条が設置され、前記昇降板の下端面には下端が前記スライド板を貫通し且つ前記上げチャンバの中に位置した昇降棒が設置され、
前記スライド溝の上端壁の中には押出チャンバが設置され、前記押出チャンバの右端壁の中には外部空間と前記スライド溝とを連通した従動溝が設置され、前記押出チャンバの下端壁の中には昇降溝が設置され、前記昇降溝の中には台形棒が設置され、前記押出チャンバの中には右端が前記従動溝の中に位置した押出棒が設置され、前記押出棒の右端には吸盤が設置され、前記押出棒のもう左端には制限ブロックが設置され、前記スライド板の上端面には上端が前記従動溝の中に位置した連動棒が設置され、前記連動棒の上端には貫通穴が設置され、前記押出棒の左端が前記貫通穴を貫通し、前記貫通穴の下端壁には上に開口した撥条溝が設置され、前記撥条溝の下端壁には伸縮撥条が設置され、前記伸縮撥条の上端には上端が前記貫通穴の中に位置した挟み棒が設置され、前記挟み棒の上端には挟みブロックが設置されていることを特徴とする請求項１に記載の掛け式ＵＳＢ卓上扇風機。
【請求項３】
前記伝動機構は二つの伝動チャンバを含み、前記移動溝の中には前後両端がそれぞれ前後両側の前記移動溝の端壁と回転できるように連結された回転軸が設置され、前記回転軸には回転歯車が設置され、前記回転軸には第一プーリが設置され、前記伝動チャンバが前記移動溝の左端壁の中に位置し、前記伝動チャンバの中には両端と前記伝動チャンバの前後端壁とが回転できるように連結された伝動軸が設置され、前記伝動軸の両端にはいずれも第二プーリと第三プーリとが設置され、前記第一プーリと前記第三プーリとが第一ベルトによって連結され、前記伝動チャンバの中には従動軸が設置され、前記従動軸には第四プーリが設置され、前記第四プーリと前記第二プーリとが第二ベルトによって連結され、前記従動軸には下端が前記スライドチャンバの中に位置した押し歯車が設置されていることを特徴とする請求項１に記載の掛け式ＵＳＢ卓上扇風機。
【発明の詳細な説明】
【技術分野】
【０００１】
本発明は扇風機の分野を取り上げて、具体的には掛け式ＵＳＢ卓上扇風機である。
【背景技術】
【０００２】
現在、便利に使われる扇風機は人々に幅広く使用され、ところがほとんどのＵＳＢ卓上扇風機は平面に置いて使用され、使用する時一定の卓上の面積を取り、卓上の面積が足りなくなった時、扇風機の使用に影響し、もし扇風機機体の体積を減らせば、機体を安定に卓上に置けなく、それに現在はＵＳＢ卓上扇風機の置きと掛けとを結びつけることが少なく、便利に使う目的に達成する。
【先行技術文献】
【特許文献】
【０００３】
【特許文献１】中国特許出願公開第１０８５０６２２９号明細書
【発明の概要】
【発明が解決しようとする課題】
【０００４】
本発明の目的は掛け式ＵＳＢ卓上扇風機を提供し、上記背景技術に提出した問題を解決できる。
【課題を解決するための手段】
【０００５】
本発明の掛け式ＵＳＢ卓上扇風機は、外殻を含み、前記外殻の中にはモーターが設置され、前記モーターには左端が外部空間の中に位置した回転軸が伝動できるように連結され、前記回転軸の左端には羽根が設置され、前記外殻の左側端面にはＵＳＢケーブルが設置され、前記外殻の中には外部空間に連通した移動チャンバが設置され、前記移動チャンバの中には移動機構が設置され、前記移動チャンバの前後端壁の中には動力を伝達する伝動機構がいずれも設置され、前記移動機構は前記移動チャンバの前後端壁に位置した二つの移動溝を含み、前記移動溝の中には移動ブロックが設置され、前記移動チャンバの中には前後両端が其々に二つの前記移動ブロックを貫通した移動軸が設置され、前記移動軸の前後両端には移動歯車がいずれも設置され、前記移動軸の中心には移動板が固定的に設置され、前記移動板の右端面にはプルタブが設置され、前記移動チャンバの左端壁の中には収納溝が設置され、前記収納溝の中には右端が前記移動チャンバの中に位置したＬ型棒が設置され、前記収納溝の左端壁には右端と前記Ｌ型棒とが連結された引き動かし撥条が設置され、前記収納溝の下側には外部空間と前記移動移動チャンバとを連通したスライドチャンバが設置され、前記スライドチャンバの中には前記伝動機構に運動連動できる支持板が設置され、前記支持板の中には下に開口した収納チャンバが設置され、前記収納チャンバの中には支持ブロックが設置され、前記収納チャンバの上端壁には一端と前記支持ブロックとが連結された圧縮撥条が設置されている。
【０００６】
更なる技術方案、前記移動機構には右に開口し且つ前記移動チャンバの上側に位置したスライド溝が含まれ、前記スライド溝の中にはスライド板が設置され、前記スライド溝の左端壁には前記スライド板と連結された復帰撥条が設置され、前記スライド溝の上端壁には下に開口した位置制限溝が設置され、前記スライド板の左端には上に開口した位置制限チャンバが設置され、前記位置制限チャンバの中には位置制限ブロックが設置され、前記位置制限チャンバの下端壁には前記位置制限ブロックと連結された位置制限撥条が設置され、前記スライド板の中には昇降チャンバが設置され、前記昇降チャンバの中には昇降板が設置され、前記昇降板の上端面には上端が前記スライド溝の中に位置した押しブロックが設置され、前記スライド板の下端面には下端が前記移動チャンバの中に位置したスライダが設置され、前記スライダの中には上げチャンバが設置され、前記上げチャンバの右端壁には外部空間に連通した台形口が設置され、前記上げチャンバの中には上げ板が設置され、前記上げ板の上端面には上端と前記上げチャンバの上端壁とが連結された二つの上げ撥条が設置され、前記昇降板の下端面には下端が前記スライド板を貫通し且つ前記上げチャンバの中に位置した昇降棒が設置され、
前記スライド溝の上端壁の中には押出チャンバが設置され、前記押出チャンバの右端壁の中には外部空間と前記スライド溝とを連通した従動溝が設置され、前記押出チャンバの下端壁の中には昇降溝が設置され、前記昇降溝の中には台形棒が設置され、前記押出チャンバの中には右端が前記従動溝の中に位置した押出棒が設置され、前記押出棒の右端には吸盤が設置され、前記押出棒のもう左端には制限ブロックが設置され、前記スライド板の上端面には上端が前記従動溝の中に位置した連動棒が設置され、前記連動棒の上端には貫通穴が設置され、前記押出棒の左端が前記貫通穴を貫通し、前記貫通穴の下端壁には上に開口した撥条溝が設置され、前記撥条溝の下端壁には伸縮撥条が設置され、前記伸縮撥条の上端には上端が前記貫通穴の中に位置した挟み棒が設置され、前記挟み棒の上端には挟みブロックが設置されている。
【０００７】
更なる技術方案、前記伝動機構は二つの伝動チャンバを含み、前記移動溝の中には前後両端がそれぞれ前後両側の前記移動溝の端壁と回転できるように連結された回転軸が設置され、前記回転軸には回転歯車が設置され、前記回転軸には第一プーリが設置され、前記伝動チャンバが前記移動溝の左端壁の中に位置し、前記伝動チャンバの中には両端と前記伝動チャンバの前後端壁とが回転できるように連結された伝動軸が設置され、前記伝動軸の両端にはいずれも第二プーリと第三プーリとが設置され、前記第一プーリと前記第三プーリとが第一ベルトによって連結され、前記伝動チャンバの中には従動軸が設置され、前記従動軸には第四プーリが設置され、前記第四プーリと前記第二プーリとが第二ベルトによって連結され、前記従動軸には下端が前記スライドチャンバの中に位置した押し歯車が設置されている。
【発明の効果】
【０００８】
本発明の有益な効果は下記の通りである：
【０００９】
本装置は構造が簡単で、操作が便利で、卓上に置くスペースが足りない時、安定に壁面に掛けられ、それにより卓上のスペースを節約する同時にＵＳＢ卓上扇風機を使え、且つ体積が小さく、あまりスペースを取らなく、卓上に置く時伸び出した部品によって支持し、装置が置く時の安定性を保証できる。
【図面の簡単な説明】
【００１０】
発明実施例或いは現有技術の技術プランをもっとはっきり説明できるため、以下は実施例或いは現有技術の説明に使われる付図を簡単に紹介し、明らかに、以下述べる付図はただ発明の実施例であり、本分野の普通の技術人員にとって、創造的な労働を払わなくても、この付図によって他の付図を得られる。
【図１】図１は本発明の掛け式ＵＳＢ卓上扇風機の全体断面の正面構造模式図
【図２】図２は本発明の掛け式ＵＳＢ卓上扇風機の伝動機構の全体断面の正面構造模式図
【図３】図３は本発明の掛け式ＵＳＢ卓上扇風機の伝動機構の全体断面の左面構造模式図
【図４】図４は本発明の掛け式ＵＳＢ卓上扇風機のスライダの右面の模式図
【図５】図５は本発明の掛け式ＵＳＢ卓上扇風機の移動機構の局部断面の正面拡大構造模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１−５を参考して、本発明の掛け式ＵＳＢ卓上扇風機は、外殻１を含み、前記外殻１の中にはモーター２が設置され、前記モーター２には左端が外部空間の中に位置した回転軸４が伝動できるように連結され、前記回転軸４の左端には羽根３が設置され、前記外殻１の左側端面にはＵＳＢケーブル６３が設置され、前記外殻１の中には外部空間に連通した移動チャンバ１０が設置され、前記移動チャンバ１０の中には移動機構５９が設置され、前記移動チャンバ１０の前後端壁の中には動力を伝達する伝動機構６０がいずれも設置され、前記移動機構５９は前記移動チャンバ１０の前後端壁に位置した二つの移動溝９を含み、前記移動溝９の中には移動ブロック８が設置され、前記移動チャンバ１０の中には前後両端が其々に二つの前記移動ブロック８を貫通した移動軸１９が設置され、前記移動軸１９の前後両端には移動歯車５１がいずれも設置され、前記移動軸１９の中心には移動板１７が固定的に設置され、前記移動板１７の右端面にはプルタブ１８が設置され、前記移動チャンバ１０の左端壁の中には収納溝１１が設置され、前記収納溝１１の中には右端が前記移動チャンバ１０の中に位置したＬ型棒１２が設置され、前記収納溝１１の左端壁には右端と前記Ｌ型棒１２とが連結された引き動かし撥条１３が設置され、前記収納溝１１の下側には外部空間と前記移動移動チャンバ１０とを連通したスライドチャンバ５３が設置され、前記スライドチャンバ５３の中には前記伝動機構６０に運動連動できる支持板１４が設置され、前記支持板１４の中には下に開口した収納チャンバ５４が設置され、前記収納チャンバ５４の中には支持ブロック１６が設置され、前記収納チャンバ５４の上端壁には一端と前記支持ブロック１６とが連結された圧縮撥条１５が設置されている。
【００１３】
有益なように、前記移動機構５９には右に開口し且つ前記移動チャンバ１０の上側に位置したスライド溝５が含まれ、前記スライド溝５の中にはスライド板７が設置され、前記スライド溝５の左端壁には前記スライド板７と連結された復帰撥条６が設置され、前記スライド溝５の上端壁には下に開口した位置制限溝２８が設置され、前記スライド板７の左端には上に開口した位置制限チャンバ３９が設置され、前記位置制限チャンバ３９の中には位置制限ブロック３７が設置され、前記位置制限チャンバ３９の下端壁には前記位置制限ブロック３７と連結された位置制限撥条３８が設置され、前記スライド板７の中には昇降チャンバ２６が設置され、前記昇降チャンバ２６の中には昇降板２５が設置され、前記昇降板２５の上端面には上端が前記スライド溝５の中に位置した押しブロック２７が設置され、前記スライド板７の下端面には下端が前記移動チャンバ１０の中に位置したスライダ２０が設置され、前記スライダ２０の中には上げチャンバ２１が設置され、前記上げチャンバ２１の右端壁には外部空間に連通した台形口６１が設置され、前記上げチャンバ６１の中には上げ板２２が設置され、前記上げ板２２の上端面には上端と前記上げチャンバ６１の上端壁とが連結された二つの上げ撥条２３が設置され、前記昇降板２５の下端面には下端が前記スライド板７を貫通し且つ前記上げチャンバ２１の中に位置した昇降棒２４が設置されている。
【００１４】
前記スライド溝５の上端壁の中には押出チャンバ３４が設置され、前記押出チャンバ３４の右端壁の中には外部空間と前記スライド溝５とを連通した従動溝２９が設置され、前記押出チャンバ３４の下端壁の中には昇降溝３６が設置され、前記昇降溝３６の中には台形棒３３が設置され、前記押出チャンバ３４の中には右端が前記従動溝２９の中に位置した押出棒３５が設置され、前記押出棒３５の右端には吸盤５８が設置され、前記押出棒３５のもう左端には制限ブロック３１が設置され、前記スライド板７の上端面には上端が前記従動溝２９の中に位置した連動棒３２が設置され、前記連動棒３２の上端には貫通穴３０が設置され、前記押出棒３５の左端が前記貫通穴３０を貫通し、前記貫通穴３０の下端壁には上に開口した撥条溝５６が設置され、前記撥条溝５６の下端壁には伸縮撥条５７が設置され、前記伸縮撥条５７の上端には上端が前記貫通穴３０の中に位置した挟み棒５５が設置され、前記挟み棒５５の上端には挟みブロック６２が設置されている。
【００１５】
有益なように、前記伝動機構６０は二つの伝動チャンバ４２を含み、前記移動溝９の中には前後両端がそれぞれ前後両側の前記移動溝９の端壁と回転できるように連結された回転軸５０が設置され、前記回転軸５０には回転歯車４８が設置され、前記回転軸５０には第一プーリ４９が設置され、前記伝動チャンバ４２が前記移動溝９の左端壁の中に位置し、前記伝動チャンバ４２の中には両端と前記伝動チャンバ４２の前後端壁とが回転できるように連結された伝動軸４０が設置され、前記伝動軸４０の両端にはいずれも第二プーリ４６と第三プーリ４１とが設置され、前記第一プーリ４９と前記第三プーリ４１とが第一ベルト４７によって連結され、前記伝動チャンバ４２の中には従動軸４５が設置され、前記従動軸４５には第四プーリ４４が設置され、前記第四プーリ４４と前記第二プーリ４６とが第二ベルト４３によって連結され、前記従動軸４５には下端が前記スライドチャンバ５３の中に位置した押し歯車５２が設置されている。
【００１６】
以下、付図１−５及び上記の本願発明の掛け式ＵＳＢ卓上扇風機の具体的な構造を参考してその使い方を詳しく説明する：
【００１７】
前記支持ブロック１６と前記位置制限ブロック３７はいずれも台形ブロックである；
【００１８】
前記外殻１が平面に置かれる時、前記プルタブ１８を引っ張って前記移動板１７を回転させ、それにより前記移動軸１９を回転連動させ、それにより前記移動歯車５１を回転させ、それにより前記回転歯車４８と、前記第一プーリ４９と、前記回転軸５０とを回転させ、前記第一ベルト１７と前記第二ベルト４３の伝動によって、前記伝動軸４０と、前記第二プーリ４６と、前記第三プーリ４１と、前記従動軸４５と、前記第四プーリ４４と、前記押し歯車５２とを回転させ、それにより前記支持板１４を運動連動させ、前記支持板１４の一端を外部空間に位置させ、前記支持ブロック１６が前記圧縮撥条１５の作用によって飛出し、前記移動板１７の回転によって、前記Ｌ型棒１２が前記引き動かし撥条１３によって飛出し、前記支持ブロック１６と前記Ｌ型棒１２の作用によって支持装置の安定性を保証する。
【００１９】
掛ける時、前記プルタブ１８を引き動かし、前記移動板１７を並進連動させ、それにより前記移動ブロック８と前記スライダ２０とを並進させ、それにより前記スライド板７と、前記連動棒３２と、前記押出棒３５とを並進連動させ、前記位置制限ブロック３７が前記位置制限撥条３８の作用によって前記位置制限溝２８の中に入り、前記プルタブ１８を引き動かすことを止め、壁体に位置した支持物の一端を前記台形口６１に通し、そして手を離し、装置の重力によって、装置が降り、前記上げ板２２が上昇し、前記上げ撥条３３が圧縮し、前記昇降棒２４と、前記昇降板２５と、前記押しブロック２７とが上昇し、前記台形棒３３を上昇連動させ、それにより再び前記押出棒３５を並進連動させ、それにより前記吸盤５８を壁面にきつく吸着させ、装置を掛ける安定性を保証する。
【００２０】
本装置は構造が簡単で、操作が便利で、卓上に置くスペースが足りない時、安定に壁面に掛けられ、それにより卓上のスペースを節約する同時にＵＳＢ卓上扇風機を使え、且つ体積が小さく、あまりスペースを取らなく、卓上に置く時伸び出した部品によって支持し、装置が置く時の安定性を保証できる。
【００２１】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020172919.tif 000003
【図２】
2020172919.tif 000004
【図３】
2020172919.tif 000005
【図４】
2020172919.tif 000006
【図５】
2020172919.tif 000007
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
掛け式ＵＳＢ卓上扇風機であって、外殻を含み、前記外殻の中にはモーターが設置され、前記モーターには左端が外部空間の中に位置した回転軸が伝動できるように連結され、前記回転軸の左端には羽根が設置され、前記外殻の左側端面にはＵＳＢケーブルが設置され、前記外殻の中には外部空間に連通した移動チャンバが設置され、前記移動チャンバの中には移動機構が設置され、前記移動チャンバの前後端壁の中には動力を伝達する伝動機構がいずれも設置され、前記移動機構は前記移動チャンバの前後端壁に位置した二つの移動溝を含み、前記移動溝の中には移動ブロックが設置され、前記移動チャンバの中には前後両端が其々に二つの前記移動ブロックを貫通した移動軸が設置され、前記移動軸の前後両端には移動歯車がいずれも設置され、前記移動軸の中心には移動板が固定的に設置され、前記移動板の右端面にはプルタブが設置され、前記移動チャンバの左端壁の中には収納溝が設置され、前記収納溝の中には右端が前記移動チャンバの中に位置したＬ型棒が設置され、前記収納溝の左端壁には右端と前記Ｌ型棒とが連結された引き動かし撥条が設置され、前記収納溝の下側には外部空間と前記移動移動チャンバとを連通したスライドチャンバが設置され、前記スライドチャンバの中には前記伝動機構に運動連動できる支持板が設置され、前記支持板の中には下に開口した収納チャンバが設置され、前記収納チャンバの中には支持ブロックが設置され、前記収納チャンバの上端壁には一端と前記支持ブロックとが連結された圧縮撥条が設置されており、
前記移動機構には右に開口し且つ前記移動チャンバの上側に位置したスライド溝が含まれ、前記スライド溝の中にはスライド板が設置され、前記スライド溝の左端壁には前記スライド板と連結された復帰撥条が設置され、前記スライド溝の上端壁には下に開口した位置制限溝が設置され、前記スライド板の左端には上に開口した位置制限チャンバが設置され、前記位置制限チャンバの中には位置制限ブロックが設置され、前記位置制限チャンバの下端壁には前記位置制限ブロックと連結された位置制限撥条が設置され、前記スライド板の中には昇降チャンバが設置され、前記昇降チャンバの中には昇降板が設置され、前記昇降板の上端面には上端が前記スライド溝の中に位置した押しブロックが設置され、前記スライド板の下端面には下端が前記移動チャンバの中に位置したスライダが設置され、前記スライダの中には上げチャンバが設置され、前記上げチャンバの右端壁には外部空間に連通した台形口が設置され、前記上げチャンバの中には上げ板が設置され、前記上げ板の上端面には上端と前記上げチャンバの上端壁とが連結された二つの上げ撥条が設置され、前記昇降板の下端面には下端が前記スライド板を貫通し且つ前記上げチャンバの中に位置した昇降棒が設置され、
前記スライド溝の上端壁の中には押出チャンバが設置され、前記押出チャンバの右端壁の中には外部空間と前記スライド溝とを連通した従動溝が設置され、前記押出チャンバの下端壁の中には昇降溝が設置され、前記昇降溝の中には台形棒が設置され、前記押出チャンバの中には右端が前記従動溝の中に位置した押出棒が設置され、前記押出棒の右端には吸盤が設置され、前記押出棒のもう左端には制限ブロックが設置され、前記スライド板の上端面には上端が前記従動溝の中に位置した連動棒が設置され、前記連動棒の上端には貫通穴が設置され、前記押出棒の左端が前記貫通穴を貫通し、前記貫通穴の下端壁には上に開口した撥条溝が設置され、前記撥条溝の下端壁には伸縮撥条が設置され、前記伸縮撥条の上端には上端が前記貫通穴の中に位置した挟み棒が設置され、前記挟み棒の上端には挟みブロックが設置されており、
前記伝動機構は二つの伝動チャンバを含み、前記移動溝の中には前後両端がそれぞれ前後両側の前記移動溝の端壁と回転できるように連結された回転軸が設置され、前記回転軸には回転歯車が設置され、前記回転軸には第一プーリが設置され、前記伝動チャンバが前記移動溝の左端壁の中に位置し、前記伝動チャンバの中には両端と前記伝動チャンバの前後端壁とが回転できるように連結された伝動軸が設置され、前記伝動軸の両端にはいずれも第二プーリと第三プーリとが設置され、前記第一プーリと前記第三プーリとが第一ベルトによって連結され、前記伝動チャンバの中には従動軸が設置され、前記従動軸には第四プーリが設置され、前記第四プーリと前記第二プーリとが第二ベルトによって連結され、前記従動軸には下端が前記スライドチャンバの中に位置した押し歯車が設置されており、
前記外殻が平面に置かれる時、前記プルタブを引っ張って前記移動板を回転させ、それにより前記移動軸を回転連動させ、それにより前記移動歯車を回転させ、それにより前記回転歯車と、前記第一プーリと、前記回転軸とを回転させ、前記第一ベルトと前記第二ベルトの伝動によって、前記伝動軸と、前記第二プーリと、前記第三プーリと、前記従動軸と、前記第四プーリと、前記押し歯車とを回転させ、それにより前記支持板を運動連動させ、前記支持板の一端を外部空間に位置させ、前記支持ブロックが前記圧縮撥条の作用によって飛出し、前記移動板の回転によって、前記Ｌ型棒が前記引き動かし撥条によって飛出し、前記支持ブロックと前記Ｌ型棒の作用によって支持装置の安定性を保証でき、
掛ける時、前記プルタブを引き動かし、前記移動板を並進連動させ、それにより前記移動ブロックと前記スライダとを並進させ、それにより前記スライド板と、前記連動棒と、前記押出棒とを並進連動させ、前記位置制限ブロックが前記位置制限撥条の作用によって前記位置制限溝の中に入り、前記プルタブを引き動かすことを止め、壁体に位置した支持物の一端を前記台形口に通し、そして手を離し、装置の重力によって、装置が降り、前記上げ板が上昇し、前記上げ撥条が圧縮し、前記昇降棒と、前記昇降板と、前記押しブロックとが上昇し、前記台形棒を上昇連動させ、それにより再び前記押出棒を並進連動させ、それにより前記吸盤を壁面にきつく吸着させ、装置を掛ける安定性を保証することを特徴とする掛け式ＵＳＢ卓上扇風機。